(57)【要約】  コンピュータ２２によって行われる画像処理は、最後には反復再構成画像又は反復精緻化画像になる一連の更新画像を生成する反復画像再構成化２６又は反復画像精緻化５６を含む。当該一連の更新画像のうちの第１の更新画像３０、６０と第２の更新画像３２、６２との差分画像３４、６４が計算される。差分画像は、特徴画像４０に変換され、反復処理２６、５６又は様々な再構成技術若しくは精緻化技術からの反復再構成画像若しくは反復精緻化画像に行われる後処理４４に使用される。別の実施形態では、第１及び第２の画像再構成化８１、８３が、対応する第１及び第２の再構成画像８０、８２を生成するように行われる。第１の再構成画像、第１の再構成の更新画像、第２の再構成画像及び第２の構成の更新画像の群からそれぞれ選択される２つの画像間の差分画像８４が計算される。特徴画像が差分画像から生成され、第１及び第２の再構成画像を組み合わせるために使用される。
2019524356.tif 000002
【特許請求の範囲】
【請求項１】
コンピュータと、
（ｉ）反復再構成画像を生成するように、投影データ又はｋ空間撮像データに行われる反復画像再構成化、及び、
（ｉｉ）反復精緻化画像を生成するように、入力再構成画像に行われる反復画像精緻化、
の一方を含む反復処理であって、最後には前記反復再構成画像又は前記反復精緻化画像になる一連の更新画像を生成する当該反復処理を行うことと、
前記一連の更新画像の２つの更新画像間の差分画像を生成することと、
前記反復処理、又は、前記反復再構成画像若しくは前記反復精緻化画像に行われる後処理で、前記差分画像を使用すること、
とを含む演算を行うように、前記コンピュータによって読み出し可能及び実行可能である命令を記憶する少なくとも１つの非一時的記憶媒体と、
を含む、画像処理デバイス。
【請求項２】
前記差分画像は、前記２つの更新画像間の絶対値差分画像であり、前記絶対値差分画像の各ピクセル又はボクセルは、前記２つの更新画像の対応するピクセル又はボクセル間の差分の絶対値として計算される、請求項１に記載の画像処理デバイス。
【請求項３】
前記２つの更新画像間の前記差分画像は、前記２つの更新画像間の大きい正の変化及び大きい負の変化を示すピクセル値又はボクセル値を有する、請求項１に記載の画像処理デバイス。
【請求項４】
前記２つの更新画像それぞれは、前記反復再構成画像又は前記反復精緻化画像を生成する前に、前記反復処理によって生成される、請求項１乃至３の何れか一項に記載の画像処理デバイス。
【請求項５】
行われる前記演算は更に、
前記差分画像のピクセル若しくはボクセルを少なくともスケーリング又は重み付けすることを含む変換演算によって、前記差分画像を特徴画像に変換することを含み、
前記使用することは、前記特徴画像を、前記反復処理で使用する、又は、前記反復再構成画像若しくは前記反復精緻化画像に行われる前記後処理で使用することを含む、請求項１乃至４の何れか一項に記載の画像処理デバイス。
【請求項６】
ディスプレイ部品を更に含み、
行われる前記演算は更に、前記ディスプレイ部品上に、前記特徴画像及び臨床画像の両方を同時に表示することを含む、請求項５に記載の画像処理デバイス。
【請求項７】
前記使用することは、画像変換：
Ｔ１（ｌ（ｉ））（１−ｆ（ｉ））＋Ｔ２（ｌ（ｉ））ｆ（ｉ）
に従って、前記特徴画像を使用して、前記反復再構成画像又は前記反復精緻化画像を後処理することを含み、
式中、ｉは、ピクセル又はボクセルを示し、Ｉ（ｉ）は、前記反復再構成画像又は前記反復精緻化画像のピクセル又はボクセルを示し、ｆ（ｉ）は、前記特徴画像の対応するピクセル又はボクセルを示し、Ｔ１及びＴ２は、２つの異なる画像変換である、請求項５又は６に記載の画像処理デバイス。
【請求項８】
前記２つの異なる画像変換Ｔ１及びＴ２は、２つの異なる画像フィルタである、請求項７に記載の画像処理デバイス。
【請求項９】
前記使用することは、画像変換：
Ｉ１（ｉ）（１−ｆ（ｉ））＋Ｉ２（ｉ）ｆ（ｉ）
に従って、前記特徴画像を使用して、前記反復再構成画像又は前記反復精緻化画像を後処理することを含み、
式中、ｉは、ピクセル又はボクセルを示し、Ｉ１（ｉ）及びＩ２（ｉ）は、前記投影データ若しくは前記ｋ空間データ又は前記入力再構成画像に適用された２つの異なる画像再構成化アルゴリズム又は画像精緻化アルゴリズムによって生成される２つの異なる画像のピクセル又はボクセルを示し、ｆ（ｉ）は、前記特徴画像の対応するピクセル又はボクセルを示し、Ｉ１（ｉ）及びＩ２（ｉ）の一方は、前記反復処理によって生成される前記反復再構成画像又は前記反復精緻化画像である、請求項５又は６に記載の画像処理デバイス。
【請求項１０】
前記反復処理は、前記反復再構成画像を生成するように、投影データ又はｋ空間撮像データに行われる反復画像再構成化を含む、請求項１乃至９の何れか一項に記載の画像処理デバイス。
【請求項１１】
前記使用することは、
前記２つの更新画像の生成に続いて行われる前記反復画像再構成化の反復に、前記差分画像を使用することを含む、請求項１０に記載の画像処理デバイス。
【請求項１２】
前記使用することは、
前記差分画像に従って変調される先行画像の強度を有する正則化先行画像を使用して、前記２つの更新画像の生成に続く前記反復画像再構成化の反復を行うことを含む、請求項１０に記載の画像処理デバイス。
【請求項１３】
前記反復処理は、前記反復精緻化画像を生成するように、前記入力再構成画像に行われる反復画像精緻化を含む、請求項１乃至９の何れか一項に記載の画像処理デバイス。
【請求項１４】
前記使用することは、
前記２つの更新画像の生成に続いて行われる前記反復画像精緻化の反復に、前記差分画像を使用することを含む、請求項１３に記載の画像処理デバイス。
【請求項１５】
最後には反復再構成画像になる一連の更新画像を生成するように、投影データ又はｋ空間撮像データに反復画像再構成化を行うステップと、
前記一連の更新画像の第１の更新画像と第２の更新画像との差分画像を生成するステップと、
前記差分画像のピクセル又はボクセルの少なくともスケーリング又は重み付けを含む変換演算によって、前記差分画像を特徴画像に変換するステップと、
前記反復画像再構成化、又は、前記反復再構成画像に行われる後処理で、前記特徴画像を使用するステップと、
を含む画像処理方法を行うようにコンピュータによって読み取り可能及び実行可能である命令を記憶する、非一時的記憶媒体。
【請求項１６】
前記差分画像は、前記第１の更新画像と前記第２の更新画像との絶対値差分画像であり、前記絶対値差分画像の各ピクセル又はボクセルは、前記第１の更新画像及び前記第２の更新画像の対応するピクセル又はボクセル間の差分の絶対値として計算される、請求項１５に記載の非一時的記憶媒体。
【請求項１７】
前記第１の更新画像と前記第２の更新画像との前記差分画像は、前記２つの更新画像間の大きい正の変化及び大きい負の変化を示すピクセル値又はボクセル値を有する、請求項１５に記載の非一時的記憶媒体。
【請求項１８】
前記使用するステップは、画像変換：
Ｔ１（ｌ（ｉ））（１−ｆ（ｉ））＋Ｔ２（ｌ（ｉ））ｆ（ｉ）
に従って、前記特徴画像を使用して、前記反復再構成画像を後処理するステップを含み、
式中、ｉは、ピクセル又はボクセルを示し、Ｉ（ｉ）は、前記反復再構成画像のピクセル又はボクセルを示し、ｆ（ｉ）は、前記特徴画像の対応するピクセル又はボクセルを示し、Ｔ１及びＴ２は、２つの異なる画像変換である、請求項１５乃至１７の何れか一項に記載の非一時的記憶媒体。
【請求項１９】
前記使用するステップは、
前記第１の更新画像及び前記第２の更新画像の生成に続いて行われる前記反復画像再構成化の反復に、前記特徴画像を使用するステップを含む、請求項１５乃至１７の何れか一項に記載の非一時的記憶媒体。
【請求項２０】
前記使用するステップは、
前記特徴画像を正則化先行画像として使用して、前記第１の更新画像及び前記第２の更新画像の生成に続く前記反復画像再構成化の反復を行うステップを含む、請求項１９に記載の非一時的記憶媒体。
【請求項２１】
前記使用するステップは、
正則化先行画像を重み付けするための重み付け画像として前記特徴画像を使用して、前記第１の更新画像及び前記第２の更新画像の生成に続く前記反復画像再構成化の反復を行うステップを含む、請求項１９に記載の非一時的記憶媒体。
【請求項２２】
第１の再構成画像を生成するように、投影データ又はｋ空間撮像データに第１の画像再構成化を行うステップと、
第２の再構成画像を生成するように、前記投影データ又は前記ｋ空間撮像データに第２の画像再構成化を行うステップと、
前記第１の再構成画像、前記第１の画像再構成化の更新画像、前記第２の再構成画像及び前記第２の画像再構成化の更新画像からなる群からそれぞれ選択される２つの画像間の差分画像を生成するステップと、
前記差分画像を使用して前記第１の再構成画像と前記第２の再構成画像とを組み合わせる最終再構成画像を生成するステップと、
を含む、画像処理方法。
【請求項２３】
前記差分画像は、前記第１の再構成画像と前記第２の再構成画像との２つの画像間の差分画像である、請求項２２に記載の画像処理方法。
【請求項２４】
前記差分画像は、前記第１の画像再構成化の２つの異なる更新画像間の差分画像である、請求項２２に記載の画像処理方法。
【発明の詳細な説明】
【技術分野】
【０００１】
本発明は、概して、画像処理技術、画像再構成化技術、磁気共鳴（ＭＲ）撮像及び画像再構成化及び精緻化技術、核放出撮像及び画像再構成化及び精緻化技術、コンピュータ断層撮影（ＣＴ）撮像及び画像再構成化及び精緻化技術、並びに、関連技術に関する。
【背景技術】
【０００２】
医用撮像は、様々な撮像モダリティを使用して行われる。陽電子放出断層撮影（ＰＥＴ）又は単光子放出コンピュータ断層撮影（ＳＰＥＣＴ）といった核放出撮像モダリティは、組織又は臓器内の放射性医薬品の吸収及び／又は分布の機能的画像化を提供する。透過型コンピュータ断層撮影（ＣＴ）又は磁気共鳴（ＭＲ）撮像は、通常、解剖学的特徴を撮像するために使用されるが、これらの技術を、造影剤や、例えば飛行時間型磁気共鳴アンギオグラフィ（ＴＯＦ−ＭＲＡ）である高度コントラスト技術と併せて使用して、追加情報を取得することもできる。
【０００３】
これらの技術では、取得された撮像データは、通常、認識できる画像を直接形成しない。ＰＥＴでは、撮像データは、検出された５１１ｋｅＶのガンマ線対によって規定される反応線（ＬＯＲ）であり、任意選択的に飛行時間（ＴＯＦ）による位置特定を用いる。ＳＰＥＣＴデータは、通常、ハニカム又は他のタイプのコリメータによって規定される線形又は狭角円錐投影として収集される一方で、ＣＴデータは、Ｘ線管から検出器素子への経路に沿った投影（ここでは吸収線積分）である。ＭＲデータは、通常、デカルト幾何学、ラジアル幾何学、スパイラル幾何学又は他の取得幾何学のｋ空間データとして取得される。これらの場合のいずれにおいても、適切な画像再構成化アルゴリズムが適用され、投影空間又はｋ空間からの撮像データを、２次元（２Ｄ）又は３次元（３Ｄ）画像空間における再構成画像に変換する。画像再構成化は、典型的には、反復処理であるが、フィルタ逆投影といった非反復再構成化アルゴリズムも知られている。任意選択的に、フィルタ及び／又は反復分解能補正といった様々な画像精緻化アルゴリズムを再構成画像に適用して、目立つ特徴を強調することができる。
【０００４】
画像再構成化及び精緻化処理の難しい点は、ノイズ抑制とエッジ保存（又はエッジ強調）とのバランスである。ノイズ抑制とエッジ保存とは相反する傾向にある。というのは、ノイズは、抑制されるべき不所望の画像コントラストを構成する一方で、エッジは、保持されるべき、又は、場合によっては、更に強調されるべき所望の画像コントラストを構成するからである。医用撮像では、再構成後のフィルタリングが、ノイズ抑制の主なアプローチであるが、臨床分析用の（最適とまではいかなくても）許容画像を得るためには、フィルタタイプ及びフィルタパラメータを注意深く選択する必要がある。幾つかの既知のノイズ抑制フィルタには、ローパスフィルタ、バイラテラルフィルタ、適応フィルタ等が含まれる。ローパスフィルタは、画像を均一に平滑にする傾向があり、これは、病変コントラストを抑制する場合がある。バイラテラルフィルタは、局所画像情報を使用して、エッジの脇までの領域のみを平滑にし、エッジは触れないでおくか又は平滑化を最小限に抑える目的でエッジを特定する。これは、１つのタイプのエッジ保存フィルタであり、適切に調整されると、病変／臓器定量を保存する。しかし、フィルタパラメータによっては、幾つかの小さい／弱い病変／臓器の周りのエッジが検出されない場合があり、この場合、当該小さい／弱い病変／臓器はフィルタリングされ、定量的精度が低下する。他の高度適応画像フィルタも同様に注意深い調整を必要とする。
【発明の概要】
【発明が解決しようとする課題】
【０００５】
上記問題等に対処する新規且つ改良システム及び方法を、以下に開示する。
【課題を解決するための手段】
【０００６】
１つの開示される態様では、画像処理デバイスが、コンピュータと、（ｉ）反復再構成画像を生成するように、投影データ又はｋ空間撮像データに行われる反復画像再構成化、及び、（ｉｉ）反復精緻化画像を生成するように、入力再構成画像に行われる反復画像精緻化の一方を含む反復処理であって、最後には反復再構成画像又は反復精緻化画像になる一連の更新画像を生成する当該反復処理を行うことと、一連の更新画像の２つの更新画像間の差分画像を生成することと、反復処理、又は、反復再構成画像若しくは反復精緻化画像に行われる後処理で差分画像を使用することとを含む演算を行うように、コンピュータによって読み出し可能及び実行可能である命令を記憶する少なくとも１つの非一時的記憶媒体とを含む。
【０００７】
別の開示される態様では、非一時的記憶媒体が、最後には反復再構成画像になる一連の更新画像を生成するように、投影データ又はｋ空間撮像データに反復画像再構成化を行うステップと、一連の更新画像の第１の更新画像と第２の更新画像との差分画像を生成するステップと、変換演算によって、差分画像を特徴画像に変換するステップと、反復画像再構成化、又は、反復再構成画像に行われる後処理で特徴画像を使用するステップとを含む画像処理方法を行うようにコンピュータによって読み取り可能及び実行可能である命令を記憶する。
【０００８】
別の開示される態様では、画像処理方法が、第１の再構成画像を生成するように、投影データ又はｋ空間撮像データに第１の画像再構成化を行うステップと、第２の再構成画像を生成するように、投影データ又はｋ空間撮像データに第２の画像再構成化を行うステップと、第１の再構成画像、第１の画像再構成化の更新画像、第２の再構成画像及び第２の画像再構成化の更新画像からなる群からそれぞれ選択される２つの画像間の差分画像を生成するステップと、差分画像を使用して第１の再構成画像及び第２の再構成画像を組み合わせる最終再構成画像を生成するステップとを含む。
【０００９】
１つの利点は、反復再構成画像の画質が向上される点にある。
【００１０】
別の利点は、反復精緻化画像の画質が向上される点にある。
【００１１】
別の利点は、悪性腫瘍又は病変の検出がより正確になる点である。
【００１２】
別の利点は、臨床画像を不明瞭にするノイズが減少される点である。
【００１３】
別の利点は、ノイズ抑制画像処理が小さい病変特徴を劣化させる又は除去する可能性が減少される点である。
【００１４】
所与の実施形態が、上記利点を１つも提供しないか、又は、１つ、２つ、それ以上若しくはすべての利点を提供し、及び／又は、本開示を読み、理解した当業者には明らかとなる他の利点を提供してもよい。
【図面の簡単な説明】
【００１５】
本発明は、様々なコンポーネント及びコンポーネントの構成、また、様々なステップ及びステップの構成の形を取ってよい。図面は、好適な実施形態を例示することのみを目的とし、本発明を限定するものと解釈されるべきではない。
【００１６】
【図１】図１は、反復画像再構成化の２つの異なる画像更新を使用して計算される差分画像を利用する画像再構成化及び／又は精緻化を含む例示的な撮像システムを概略的に示す。
【図２】図２は、反復画像精緻化処理の２つの異なる画像更新を使用して計算される差分画像を利用する画像精緻化を含む例示的な撮像システムを概略的に示す。
【図３】図３は、２つの異なる画像再構成化の重み付け組み合わせを構成する例示的な撮像システムを概略的に示し、重み付けは、２つの再構成間、又は、片方若しくは両方の画像再構成化の画像更新間の差分画像に従う図である。
【図４】図４は、本明細書において説明される画像再構成化結果を示す。
【図５】図５は、本明細書において説明される画像再構成化結果を示す。
【図６】図６は、本明細書において説明される画像再構成化結果を示す。
【図７】図７は、本明細書において説明される画像再構成化結果を示す。
【図８】図８は、本明細書において説明される画像再構成化結果を示す。
【図９】図９は、検出された特徴に関する視線誘導を提供するように表示される、本明細書に開示される通りの特徴画像の使用を示す。
【発明を実施するための形態】
【００１７】
本明細書に開示される画像再構成化及び精緻化アプローチは、（例えば大きい画像強度勾配を検出することによって）局所的な空間的情報を使用して画像内のエッジを特定しようと試みるのではなく、（エッジだけではなく）画像特徴全体を、反復画像再構成化又は精緻化処理中の更新画像の「時間的」進化に基づいて効果的に検出することができるという洞察に基づいている。具体的には、差分画像が、反復画像再構成化又は精緻化処理の２つの異なる更新画像の対応するピクセル間の差分（例えば絶対値差分）として計算される。本明細書に開示されるように、当該差分画像は、更新画像の適切な選択について、小さい病変又は腫瘍といった画像特徴を、エッジ保存又はエッジ強調画像フィルタリングのように領域構造を描出するエッジとしてではなく、当該領域構造として捕捉する差分画像を生成する。開示される「時間的」アプローチは、ＰＥＴ及びＳＰＥＣＴ画像の典型的な反復再構成中の更新画像の進化に関する幾つかの所見を利用する。
【００１８】
１つの所見は、大きい構造が、通常、小さい構造よりも速く収束する点である。つまり、大きい構造が収束するのに必要な反復回数は少ない。同様に、低空間周波数成分が、画像内の高空間周波数成分よりも速く収束する。これらの所見は、直観的に関連付けられる。というのは、大きい構造は、（例えば空間フーリエ変換の意味で）より低い空間周波数成分を主に含む一方で、小さい構造は、より高い空間周波数成分を主に含むからである。不所望なノイズは、通常、高周波数成分（有用な現実的な構造に必要な周波数成分よりも高い）によって表される。これらの所見から、反復画像再構成化の前の更新画像を使用する差分画像は、大きい特徴を捕捉する傾向がある一方で、後の更新画像を使用する差分画像は、より小さい特徴を捕捉する傾向があることが理解できる。
【００１９】
別の所見は、核放出画像（例えばＰＥＴ又はＳＰＥＣＴ）の場合、コールド領域が、ホット領域よりもゆっくりと収束する傾向がある点である。ここで、「コールド」とは、放射性医薬品の濃度が低い領域を指す一方で、「ホット」とは、放射性医薬品の濃度が高い領域を指す。より一般的に、小さい病変及び鮮明なエッジは、高空間周波数画像信号に対応する。
【００２０】
差分画像用の更新画像の最適な選択は、例えば予想される腫瘍サイズを模倣するファントム特徴の最も強いコントラストを有する差分画像を生成する差分画像用の更新画像を選択するファントム研究を介してといったように、経験的に行うことができる。なお、差分画像を形成する２つの更新画像は、最後には最終反復再構成画像になる反復再構成の一連の更新画像における連続更新画像である必要は必ずしもない。（更に、終了する反復再構成画像自体は、様々に選択される反復再構成終了基準（例えば連続反復間の変化メトリックがある最小閾値よりも小さい場合に停止する、又は、決められた回数の反復後に停止する等）を使用して規定される）。
【００２１】
更なる所見は、飛行時間型ＰＥＴ（即ち、ＴＯＦ−ＰＥＴ）の場合、飛行時間（ＴＯＦ）情報を有するデータからの再構成は、一般に、ＴＯＦ情報なしよりも速く収束する点であり、これは、ＴＯＦ位置特定が、収束を向上させる追加情報を提供するからである。したがって、ＰＥＴ撮像データが、ＴＯＦ情報を利用するＴＯＦ再構成アルゴリズムを使用して再構成される場合と、ＴＯＦ情報を利用しない非ＴＯＦ再構成アルゴリズムを使用して再構成される場合とでは、前者が後者よりも速く収束することが予想される。より一般的に、同じ撮像データに適用される様々な画像再構成化アルゴリズムが、程度の差はあるが、高速に収束する。この所見は、差分画像を単一の画像再構成化の２つの更新画像の差として取るのではなく、差分画像は、同じ撮像データに適用される２つの異なる再構成アルゴリズムの再構成画像又は更新画像間の差分画像である本明細書に開示される変形実施形態の根拠となる。
【００２２】
更なる所見は、収束速度と差分画像（又は差分画像内の特徴）との関係に関する。これは、当該関係が更新画像の選択に影響を及ぼすからである。収束速度の速い物体は、少数の更新又は反復後に、その最終再構成状態に近くなる。これに対して、収束速度の遅い物体は、高速収束物体の収束時間では、その最終再構成状態から遠く離れたままである。したがって、更新画像が、最先の更新から選択されると、高速収束物体及び低速収束物体の両方について差は大きく、したがって、物体を区別するには最適ではない。反対に、更新画像が、反復の終わりの近くから選択されると、高速収束物体又は低速収束物体の両方についての差は小さく、これも、最適な選択ではない。一般に、更新画像の最適な選択は、これらの限界間であり、好適には、高速収束物体が安定に近い（したがって、差は、高速収束物体では小さい）一方で、低速収束物体がまだ安定していない（したがって、差は依然として大きい）ように選択される。したがって、差分画像を計算するための更新画像のこのような選択は、より大きい（及び高速収束）背景と比べてより小さい（及び低速収束）特徴の最も強いコントラストを生成する。
【００２３】
したがって、本明細書に開示される実施形態では、差分画像は、反復処理（画像再構成化又は精緻化）の２つの反復間の差分画像である。例えばスケーリング及び重み付けといった更なる変換を差分画像に適用して、特徴画像が生成される。特徴画像は、反復間の各物体／臓器の「進化」情報を伝える。様々な反復における画像内の同じピクセル又はボクセルの値は、エッジ保存又はエッジ強調フィルタリング技術のように個々の画像内のその隣接するボクセルと比較されるのではなく、互いに直接比較される。
【００２４】
図１を参照するに、例示的な撮像デバイス１０は、コンピュータ断層撮影（ＣＴ）ガントリ１２と、陽電子放出断層撮影（ＰＥＴ）ガントリ１４とを含み、ＣＴ又はＰＥＴ撮像のために、患者又は他の被験者を選択されたガントリ１２、１４内へと移動させる共通の被験者支持体又は台１６を有する複合システムである。有利には、この構成は、例えば解剖学的情報を提供するためにＣＴ画像の取得を、また、機能的情報（例えば患者内の放射性医薬品の吸収及び／又は分布）を提供するためにＰＥＴ画像の取得を可能にする。市販されているＰＥＴ／ＣＴ撮像デバイスの一例は、オランダ、アイントホーヘンにあるコーニンクレッカ・フィリップス、Ｎ．Ｖ社から入手可能であるＶｅｒｅｏｓ（登録商標）デジタルＰＥＴ／ＣＴシステムである。これらは例示的な例に過ぎず、また、開示される画像再構成化及び精緻化アプローチは、ＣＴ撮像、ＰＥＴ撮像、単光子放出コンピュータ断層撮影（ＳＰＥＣＴ）撮像、磁気共鳴（ＭＲ）撮像等と併せて有用に使用することができる。撮像デバイス１０は、投影データの形の撮像データを取得する。ＰＥＴガントリ１４を使用して取得されるＰＥＴ撮像データは、任意選択的に飛行時間（ＴＯＦ）位置特定を有する検出された５１１ｋｅＶガンマ線対によって規定される反応線（ＬＯＲ）の形の投影データを含む。ＣＴガントリ１２によって取得されるＣＴ撮像データは、Ｘ線管から検出器素子までの経路に沿った投影（ここでは吸収線積分）を含む。ＳＰＥＣＴ撮像データも、同様に、ハニカム又は他のタイプのコリメータによって線形又は狭角円錐投影として規定される投影を含む。ＭＲ撮像データは、一般的に、ｋ空間撮像データ（例えば適切に印加された磁場勾配によって実現される周波数及び／又は位相符号化によって規定されるｋ空間軌道（例えばデカルト、スパイラル、ラジアル、ジグザグ）に沿って取得されるｋ空間サンプル）として収集される。
【００２５】
取得された撮像データは、例えば１つ以上の電子データ記憶デバイス（例えば１つ以上のハードドライブ、光学ディスク、固体ドライブ、他の電子デジタル記憶デバイス等）を含むか、又は、それらへの動作上のアクセスを有するコンピュータ２２（ネットワークサーバ、デスクトップコンピュータ等）である演算デバイス２０によって処理される。最初に、取得された撮像データは、撮像データ記憶デバイス２４に記憶される。図１の実施形態では、コンピュータ２２が、適切なソフトウェアを実行して、記憶装置２８に記憶される再構成画像を生成する反復画像再構成化２６を実現する。画像再構成化２６は更に、特定用途向け集積回路（ＡＳＩＣ）等を使用して部分的に実現されてもよい。反復画像再構成化２６は、投影撮像データ（又は、ＭＲ撮像の場合は、ｋ空間撮像データ）に行われ、反復再構成画像が生成される。より具体的には、反復再構成２６は、記憶装置２８に記憶される反復再構成画像に最後にはなる一連の更新画像を生成する。ＰＥＴ撮像データを再構成するための幾つかの例示的な反復画像再構成化アルゴリズムは、二次的先行画像（quadratic prior）又は（相対差先行画像（relative differences prior）のような）エッジ保持先行画像（edge-preserving prior）を使用して、順序部分集合期待値最大化（ＯＳＥＭ）画像再構成化、及び、サブセット化による期待値最大化（ＭＡＰ）画像再構成化を含む。ＭＲ撮像データの場合、様々な反復高速フーリエ変換（ＦＦＴ）ベースの画像再構成化アルゴリズムが使用され、通常、ＭＲ撮像データを取得するために使用されたｋ空間軌道に部分的に基づき、特定のアルゴリズムが選択される。再構成される撮像データが２次元（２Ｄ）撮像データである場合がある。この場合、画像再構成化は、２Ｄ画像（画像スライスとも呼ぶ）を生成する。又は、再構成される撮像データが３次元（３Ｄ）撮像データである場合がある。この場合、画像再構成化は、３Ｄ画像（ボリューム画像とも呼ぶ）を生成する。
【００２６】
前述の通り、反復再構成２６は、（例えば指定回数の反復が行われると、又は、何らかの他の終了基準が満たされると）最後には反復再構成画像になる一連の更新画像を生成する。本明細書に開示されるアプローチでは、選択された更新画像が引き算されて、関心の特徴のコントラストを有する差分画像が生成される。図１では、２つの選択された更新画像３０、３２が示され、これらには、一般性を失うことなく、更新画像ｉ及び更新画像ｊとインデックスが付けられている。一連の更新画像の第１の更新画像３０と第２の更新画像３２との差分画像３４が生成される。負のピクセル又はボクセル値の可能性を回避するために、幾つかの実施形態では、差分画像３４は、第１の更新画像３０と第２の更新画像３２との絶対値差分画像である。絶対値差分画像３４内の各ピクセル又はボクセルは、第１の更新画像３０及び第２の更新画像３２の対応するピクセル又はボクセル間の差の絶対値として計算される。幾つかの実施形態では、差分画像内の負のピクセル又はボクセル値及び正の値を使用して、画像のコールド特徴及びホット特徴を区別することができる。任意選択的に、差分画像３４は、特徴画像４０を生成するために、差分画像のピクセル又はボクセルのスケーリング又は重み付けといった変換演算３６によって変換される。
【００２７】
（任意選択的に特徴画像４０に変換される）差分画像３４は、フィードバック経路４２によって示されるように、反復再構成２６に使用される（即ち、更新画像３０、３２を生成した反復の次に行われる反復に使用される）。例えば特徴画像４０は、反復画像再構成化２６の後続の反復における先行画像として働く。他の実施形態では、（任意選択的に特徴画像４０に変換される）差分画像３４は、画像保管通信システム（ＰＡＣＳ）といった臨床画像記憶装置４６に記憶される最終臨床画像を生成するように、反復再構成画像に行われる、例示的な画像精緻化４４といった任意選択の後処理で使用される。後処理４４における特徴画像４０の使用は、図１に、データフロー経路４８によって概略的に示される。
【００２８】
図２を参照するに、他の実施形態では、差分画像は、反復画像再構成化ではなく、反復画像精緻化によって生成される更新画像から生成される。反復画像再構成化と反復画像精緻化との違いは、反復画像再構成化は、撮像データ（投影データ又はｋ空間データ）を２Ｄ又は３Ｄ画像空間における画像データに変換する働きをする一方で、反復画像精緻化は、２Ｄ又は３Ｄ画像空間に既にある画像を向上させる働きをする点である。説明を簡単にするために、図２は、再構成画像を記憶する再構成画像記憶装置２８から開始するが、図２の実施形態では、記憶装置２８に記憶される再構成画像は、反復又は非反復画像再構成化アルゴリズムを使用して生成されている可能性があることに留意されたい。図２の実施形態におけるコンピュータ２２は、記憶装置２８に記憶されている再構成画像に反復画像精緻化５６を行うようにプログラミングされる。当該再構成画像は、図２のコンテキストでは、反復画像精緻化５６に入力される入力再構成画像である。反復画像精緻化５６は、例えば反復フィルタリング、反復分解能補正、反復散乱補正等である。
【００２９】
反復画像精緻化５６は、ＰＡＣＳ又は他の臨床画像記憶装置４６に記憶される反復精緻化画像を生成するように入力再構成画像に行われる。反復画像精緻化５６は、（例えば指定回数の反復が行われると、又は、何らかの他の終了基準が満たされると）最後には反復精緻化画像になる一連の更新画像を生成する。図２の実施形態では、反復画像精緻化５６によって生成される一連の更新画像の選択された更新画像が引き算されて、関心特徴のコントラストを有する差分画像が生成される。図２では、２つの選択された更新画像６０、６２が示され、これらには、一般性を失うことなく、更新画像ＩＵ１及び更新画像ＩＵ２とインデックスとが付けられている。一連の更新画像の第１の更新画像６０と第２の更新画像６２との差分画像６４が生成される。負のピクセル又はボクセル値の可能性を回避するために、幾つかの実施形態では、差分画像６４は、第１の更新画像６０と第２の更新画像６２との絶対値差分画像である。絶対値差分画像６４内の各ピクセル又はボクセルは、第１の更新画像６０及び第２の更新画像６２の対応するピクセル又はボクセル間の差の絶対値として計算される。幾つかの実施形態では、差分画像内の負のピクセル又はボクセル値及び正の値を使用して、画像のコールド特徴及びホット特徴を区別することができる。任意選択的に、差分画像６４は、特徴画像７０を生成するために、差分画像のピクセル又はボクセルのスケーリング又は重み付けといった変換演算６６によって変換される。（任意選択的に特徴画像７０に変換される）差分画像６４は、フィードバック経路７２によって示されるように、反復画像精緻化５６に使用される（即ち、更新画像６０、６２を生成した反復の次に行われる画像精緻化５６の反復に使用される）。
【００３０】
図３を参照するに、別の変形実施形態では、差分画像は、２つの異なる画像再構成化アルゴリズム（例えばＴＯＦあり又はＴＯＦなしの反復又は非反復再構成）によって生成される再構成画像間の差分画像である。したがって、図３の実施形態も、撮像デバイス１０によって取得され、撮像データ記憶装置２４に記憶される撮像データ（例えば投影撮像データ又はｋ空間撮像データ）に作用する。コンピュータ２２は、第１の画像再構成化８１を行うことによって第１の再構成画像８０を生成し、第１の画像再構成化８１とは異なる第２の画像再構成化８３を行うことによって第２の再構成画像８２を生成するようにプログラミングされる。例えばＰＥＴ撮像データの場合、画像再構成化アルゴリズム８１、８３の一方は、ＴＯＦ位置特定データを利用するＴＯＦ再構成である一方で、他方は、ＴＯＦ位置特定データを使用しない非ＴＯＦ再構成である。別の実施形態では、画像再構成化アルゴリズム８１、８３の一方は、他方よりも速く収束する。差分画像８４は、２つの（異なるように）再構成された画像８０、８２間の差分画像として生成される。両再構成画像８０、８２は、同じ撮像データを再構成することによって生成されるので、２つの再構成画像８０、８２間の違い、異なる再構成アルゴリズム８１、８３に起因するものであることを強調しておく。代替アプローチでは、最終再構成画像８０、８２間の差分を取るのではなく、２つの画像再構成化アルゴリズム８１、８３の一方又は両方が反復再構成アルゴリズムである場合、図３に点線の入力８６として示されるように、（最終）再構成画像８０、８２の生成に先行する中間画像更新が使用されてもよい。例えば差分画像８４は、第１の画像再構成化８１の中間更新画像と、第２の画像再構成化８３の中間更新画像との差分画像である。或いは、差分画像８４は、第１の画像再構成化８１の２つの異なる更新画像間の差分画像であってもよい。図１及び図２に関連して既に説明したように、差分画像８４は、絶対値差分画像であっても、及び／又は、特徴画像（図３には図示せず）となるようにスケーリング又は重み付けといった変換演算によって変換されてもよい。コンピュータ２２は更に、ＰＡＣＳ又は他の臨床画像記憶装置４６に記憶される最終再構成画像を生成するように、（ここでも任意選択的に、スケーリング、重み付け等によって特徴画像に変換される）差分画像８４を使用して、２つの再構成画像８０、８２を組み合わせる画像合成器８８を実現するようにプログラミングされる。例えば２つの再構成画像８０、８２は、ピクセル毎又はボクセル毎に組み合わせられる。合成画像の各ピクセル又はボクセルは、２つの再構成画像８０、８２のピクセル値又はボクセル値の重み付け組み合わせであり、重みは、差分（又は特徴）画像８４の対応するピクセル値又はボクセル値によって決定される。
【００３１】
なお、ここでも、様々な計算コンポーネント２６、３６、４４、５６、６６、８１、８３、８８は、例示的なコンピュータ２２の適切なプログラミングによって実現されるが、一部の計算集約的態様のＡＳＩＣ、フィールドプログラマブルゲートアレイ（ＦＰＧＡ）又は他の電子機器を介する実現も想定される。コンピュータ２２は、単一のコンピュータ（サーバコンピュータ、デスクトップコンピュータ等）であっても、相互接続された複数のコンピュータ（例えばコンピュータクラスタ）であっても、クラウド計算リソース等であってもよい。更に、当然ながら、開示される画像処理技術は、開示される演算を行うように例示的なコンピュータ２２又は一部の他のコンピュータ若しくは計算リソースによって実行可能である命令を記憶する１つ以上の非一時的記憶媒体として具現化されてもよい。非一時的記憶媒体には、例えばハードディスク若しくは他の磁気記憶媒体、光学ディスク若しくは他の光学記憶媒体、半導体ドライブ、フラッシュメモリ又は他の電子記憶媒体、これらの様々な組み合わせ等が含まれる。
【００３２】
以下に、幾つかのより詳細な例をファントム研究及び臨床研究の形で提供する。これらの例は、ＰＥＴ撮像に関するが、既に説明したように、反復画像再構成化又は精緻化によって生成される更新画像から作成された差分画像を利用する開示されるアプローチは、より一般的に、他のタイプの撮像（例えばＰＥＴ、ＳＰＥＣＴ、ＣＴ、ＭＲ等）において有用である。
【００３３】
図１に適合する第１の例は、反復再構成２６の更新画像３０、３２から特徴画像４０を生成し、当該特徴画像４０を後続の画像精緻化４４、即ち、再構成後のフィルタリングに使用する。この例では、撮像データは、ＴＯＦ情報及び臨床的に関連のあるカウントレベルを有するデジタルＰＥＴシステムを使用して取得された。ＰＥＴ画像は、反復再構成２６として、１回の反復と４つのサブセット（画像１、即ち、更新画像３０）を用いた後に、２回の反復と４つのサブセット（画像２、即ち、更新画像３２）を用いて反復ＴＯＦリストモードＯＳＥＭ再構成を使用して再構成された。画像２から画像１を引くことによって、差分画像３４が生成され、差分画像の各ボクセルの絶対値を取って、絶対値差分画像が生成された。特徴画像４０を生成するための後続のスケーリング／重み付け３６には、ボクセル毎に絶対値差分画像の画像１に対する比率を計算して比率画像Ｒａｔｉｏ１２を生成し、この後に、ボクセル値を０．１５にクランプし、次に、画像を０．１５で除算して、特徴画像４０を得ることが含まれる。この例では、０．１５の値が効果的であると経験的に分かったが、より小さい又はより大きいクランプ値を使用して、様々な再構成からの画像の変化レベルを正確に測定することができる。及び／又は、クランプ値は、反復再構成がどのように行われたかに基づき調整されてよい。後者の例として、ＴＯＦが使用される場合、画像収束は、通常、非ＴＯＦ再構成よりも速いので、ＴＯＦ再構成には比較的大きいクランプ値が選ばれる場合がある。各反復においてより多くのサブセットが使用される場合、差分はより大きくなる。
【００３４】
更に、本例における更新画像３０、３２は、異なる反復からの画像であるが、より一般的には、反復画像再構成化は、通常、幾つかのサブセットを用いて行われ、画像は、各サブセットにおいて更新される。「更新画像」との用語は、本明細書では、差分画像を生成するために使用される画像が必ずしも異なる反復からのものではなく、より一般的には、２つの異なる更新からの画像であることを強調するために使用される。
【００３５】
本例において、前述の通り生成される特徴画像４０は、次の特徴を有する。即ち、（１）画像１から画像２までに（この具体例では）１５％（より一般的に、他の値を使用してもよい）以上の値変化を有する任意のボクセルは、値１を有する。（２）０乃至１５％の値変化を有する任意のボクセルは、０〜１にスケーリングされる。（３）小さい構造（例えば病変）及びコールド領域は、反復間で大きい変化率を有する傾向があるので、特徴画像内の対応するボクセルは、値１か又は１に近い値を有する。したがって、特徴画像４０が、再構成後の画像精緻化４４（この例ではフィルタリング）に使用される場合、特徴画像４０は、追加情報を提供する。具体的には、ボクセルが病変からのものである場合、特徴画像４０内のその値は、値１か又は１に近い値を有する。これは、最適化された性能のために、再構成後処理４４を誘導するために使用される。画像の再構成後フィルタリングの例では、特徴画像４０内の値１を有するボクセルは、全くフィルタリングされないか、ほんの少しだけフィルタリングされることが望ましい。対照的に、値０又は０に近い値を有する特徴画像４０のボクセルは、強くフィルタリングされるべきである。０と１との間の値については、フィルタリング量は、特徴画像のボクセル値に（少なくとも大体）対応すべきである。即ち、特徴画像のボクセル値は、ボクセルがどれくらいフィルタリングされるのかを決定するための重みの役割を果たす。したがって、結果として得られるフィルタリングされた画像は、（弱いフィルタリング又はフィルタリングされないことによって）病変及び臓器境界の定量は保存する一方で、（強いフィルタリングによって）背景／均一領域内のノイズは取り除く。
【００３６】
特徴画像４０を、２つの画像変換Ｔ１及びＴ２の重み付け組み合わせにおける重みとして利用することは、次の通りに表現することができる。
Ｔ１（Ｉ（ｉ））（１−ｆ（ｉ））＋Ｔ２（Ｉ（ｉ））ｆ（ｉ）      （１）
式中、ｉは、ピクセル又はボクセルを示し、Ｉ（ｉ）は、反復再構成画像２８のピクセル又はボクセルを示し、ｆ（ｉ）は、特徴画像の対応するピクセル又はボクセルを示し、Ｔ１及びＴ２は、２つの異なる画像変換を示す。具体的には、この具体例では、Ｔ１は、強いフィルタ（例えば大きいカーネルを有するガウスフィルタ）であり、Ｔ２は、弱いフィルタ（例えば小さいカーネルを有するガウスフィルタ）である。
【００３７】
図４は、３０００万カウントを用いるＮＥＭＡ  ＩＥＣファントム研究について取得された画像１、画像２、絶対値差分画像及び特徴画像を示す。図５は、取得された特徴画像を使用するＮＥＭＡ  ＩＥＣファントム画像の適切なフィルタリングスキームを示す。ＮＥＭＡ  ＩＥＣファントム画像は、最初に、標準再構成プロトコル（ＩＥＣ０）を使用して再構成された。次に、ファントム画像は、ウィンドウサイズ３を有する３つの連続ボックスフィルタを使用して強くフィルタリングされ（ＩＥＣ＿Ｈｅａｖｙ）、中心において１９のカーネル重みを有し、他の要素において１のカーネル重みを有するボックスフィルタを使用して少しフィルタリングされる（ＩＥＣ＿Ｓｌｉｇｈｔ）。２つのフィルタリングされた画像は、式（１）に従って特徴画像（ＩＥＣ＿Ｆｅａｔｕｒｅ）を使用して組み合わせられ、最終的な共同でフィルタリングされた画像（ＩＥＣ＿Ｊｏｉｎｔ）が取得される。上記表記法を使用すると、このタスクについて、式（１）を次の通りに書くことができる：
ＩＥＣ＿Ｊｏｉｎｔ＝（１−ＩＥＣ＿Ｆｅａｔｕｒｅ）＊ＩＥＣ＿Ｈｅａｖｙ＋ＩＥＣ＿Ｆｅａｔｕｒｅ＊ＩＥＣ＿Ｓｌｉｇｈｔ      （２）
式（２）によれば、最終画像内のボクセルは、特徴画像内のボクセル値を重みの計算に使用する強くフィルタリングされた画像及び少しフィルタリングされた画像内の同じボクセルの値の加重和である。病変について、ボクセル値は、特徴画像内で１であるので、重みは、少しフィルタリングされた画像では１であり、強くフィルタリングされた画像では０である。したがって、病変は、少しフィルタリングされた画像からの値を有する。対照的に、背景領域は、特徴画像内で小さい値を有するので、強くフィルタリングされた画像の重みは大きい。したがって、取得された画像は、保存された球と、著しくフィルタリングされた背景とを示した。
【００３８】
より具体的には、図４は、２つの異なるＯＳＥＭ反復における画像から特徴画像（図１の特徴画像４０の一実施形態）を抽出する例を示す。画像は、図４において、線形グレースケールを使用して表示され、各画像は、それ自身の最大値までスケーリングされている。図４では、左から右に、画像１（１回の反復、４つのサブセット；これは、図１の第１の更新画像３０の一実施形態）、画像２（２回の反復、４つのサブセット；これは、図１の第２の更新画像３２の一実施形態）、絶対値差分（図１の差分画像３４の一実施形態）、及び、特徴画像（図１の特徴画像４０の一実施形態）がある。ＩＥＣファントムのホット球及びコールド球だけでなく、ファントムの中心における肺インサート（これはコールド）が、画像１と画像２との間で大きい変化を示した。特徴画像内の当該物体の対応するボクセルは大きい値を有した。撮像されたファントムの均一背景（低周波数成分）は、特徴画像内で小さい値（グレースケールディスプレイではより黒い領域）を有し、上記球（より高い周波数成分）よりも速い収束によって、画像１から画像２への比較的小さい変化を示す。
【００３９】
図５は、標準再構成プロトコル（３回の反復、１７個のサブセット）を使用して再構成されたＮＥＭＡ画像をポストフィルタリングするために、図４からの特徴画像を使用する例を示す。左から右に、フィルタリングされるＮＥＭＡ画像（これは、図１の記憶装置２８に記憶される再構成画像の一実施形態）、強くフィルタリングされた画像（ウィンドウサイズ３のボックスフィルタ、３回連続的にフィルタリングする）、少しフィルタリングされた画像（ウィンドウサイズ３を有するが、中心について１９、残りの部分について１のボックスフィルタ）、及び、特徴画像を使用して一緒にフィルタリングされた画像（即ち、式（２）を使用して組み合わせられる強くフィルタリングされた画像と軽くフィルタリングされた画像の加重和）がある。一緒にフィルタリングされた画像は、背景におけるノイズを著しく抑制する一方で、球定量は依然として保存する。
【００４０】
次に、最終再構成画像が２つの異なる画像再構成化から合成される撮像例について説明する。正則化再構成では、様々な再構成スキームが、様々な画質につながる。例えば二次的先行画像を使用する場合、正則化再構成は、より滑らかな画像をもたらすが、このアプローチは、一部の小さい構造も取り除かれるという欠点を有する。反対に、エッジ保存先行画像を使用する場合、画像内のエッジは保存されるが、一部の領域は、当該領域におけるノイズレベルが比較的高い場合には、十分に平滑化されない場合がある。
【００４１】
この例では、２つの再構成画像が生成される。一方は、二次的先行画像を使用して、（強く）平滑化された画像が得られ、他方は、エッジ保存先行画像を使用して、エッジ保存画像が得られる。これらの２つの画像は、特徴画像を使用して、重み付けされて組み合わされ、当該２つの再構成画像は１つの統合画像に合成される。適切な重み付け組み合わせは、次の通りである。
Ｉ１（ｉ）（１−ｆ（ｉ））＋Ｉ２（ｉ）ｆ（ｉ）      （３）
式中、ｉは、ピクセル又はボクセルを示し、Ｉ１（ｉ）及びＩ２（ｉ）は、投影データ（又は、ＭＲ画像再構成化の場合にはｋ空間データ）に適用された２つの異なる画像再構成化又は精緻化アルゴリズムによって生成される２つの異なる画像のピクセル又はボクセルを示し、ｆ（ｉ）は、特徴画像の対応するピクセル又はボクセルを示す。Ｉ１（ｉ）及びＩ２（ｉ）の少なくとも一方は、反復再構成画像であり、特徴画像は、反復再構成の２つの更新画像から生成される。この例では、特徴画像は、図４のＮＥＭＡ  ＩＥＣファントム研究と同じように生成されたが、（ＩＥＣファントム研究を介して）特徴画像を生成するメカニズムが確立されると、当該メカニズムが、患者研究にも適用可能であることを実証するために、実際の患者データを使用して生成された（即ち、特徴を抽出するためのトライアル再構成がある）。
【００４２】
１つの再構成画像が（例えば二次的先行画像を使用して）強く平滑化されたものであり、もう１つの再構成画像が（例えばエッジ保存先行画像を使用して）エッジ保存されたものである場合、組み合わせられた画像は、エッジ保存画像のエッジ保存利点と、滑らかな画像の平滑化利点との両方を提供する。これは、特徴画像は、空間周波数（つまり、それがどれくらい速く局所的に変化するか）といった追加情報と物体境界情報とを提供するからである。この追加情報を使用して、どの領域（又はピクセル）がより重く平滑化されるべきか又はより軽く平滑化されるべきかが決定される。
【００４３】
図６は、二次的先行画像及びエッジ保存先行画像をそれぞれ使用して生成された画像の上記合成の有効性を説明する患者研究の画像の長軸断スライスを示す。図７は、コロナルスライスを使用する同じ患者研究の当該合成の効果を示す。合成画像では、肝臓領域が、エッジ保存画像に比べて著しくフィルタリングされたが、中心におけるホットスポットといった小さい構造は、二次的先行画像を使用する滑らかな画像に比べて保存されていた。
【００４４】
より具体的には、図６は、エッジ保存先行画像（左から２番目の画像）を使用するＭＡＰ再構成画像と、（エッジを保存しない）二次的先行画像（左から３番目の画像、即ち、「滑らかな」画像）を使用するＭＡＰ再構成画像とを合成するために使用された特徴画像（図６の左端の画像）を示す。ここでも、特徴画像は、上記ＮＥＭＡ  ＩＥＣファントム研究と同じやり方で生成された。図６の右端の画像は、ｆ（ｉ）重みを提供する特徴画像（図６の左端の画像）を用いる式（３）を使用して組み合わされた合成画像である。合成画像は、画像内の小さい構造の保存と、（特徴画像内に黒い領域によって示される）軟組織のフィルタリングとを示す。この最終画像は、いずれのＭＡＰ画像（図６の真ん中の２つの画像）よりも優れていた。
【００４５】
図７は、図６と同じ患者のコロナルスライスを示し、エッジ保存画像（左から２番目の画像、エッジ保存先行画像を使用するＭＡＰ再構成）における小さい特徴のエッジ保存の利点と、滑らかな画像（左から３番目の画像、二次的先行画像を使用するＭＡＰ再構成）の肝臓及び隔膜の滑らかさの利点との両方を有する最終合成画像（図７の右端の画像）を取得するために特徴画像（図７の左端の画像）を使用することの有効性を説明する。
【００４６】
同じ合成アプローチを適用して、２つの異なる画像精緻化処理を使用して生成された２つの画像の特徴画像重み付け組み合わせが生成される。例えばエッジ適応異方性拡散フィルタ（ＡＤＦ）を２つの異なるパラメータ設定と共に使用して、エッジ保存画像及び滑らかな画像がそれぞれ取得される。次に、特徴画像が２つの画像を合成するために使用され、最終画像が得られる。任意のこのようなアプローチにおいて、特徴画像は、反復画像処理（反復再構成か又は反復画像精緻化）の２つの更新画像を引き算することによって生成される差分画像から生成される。更新画像は、関心の特徴を強調するように選択される。
【００４７】
更なる例では、特徴画像は、再構成化パラメータ誘導を提供するように使用される。正則化再構成化では、（特徴画像によって誘導される）可変強度の二次的先行画像を使用して、正則化を誘導することができる。例えば特徴画像内の１の値は、二次的先行画像の平滑化強度を低減し、より小さい値は、次第にそれを可能にする。結果として得られる画像再構成化は、特徴画像からの追加情報を使用して選択的正則化を適用し、（図６及び図７を参照して説明された例におけるように、２つの異なる再構成化を行うことに比べて）１つの再構成化における最適化された正則化につながる。
【００４８】
図８は、この単一再構成化アプローチの例を示す。正則化再構成化において選択的正則化のために特徴画像を使用すると、有利な病変定量保存及び背景のノイズ低減が得られた。図８の左端の画像は、ノイズ制御のない古典的ＯＳＥＭ再構成化を使用する正則化再構成化を示す。病変は鮮明だが、背景のノイズは多い。図８の真ん中の画像は、背景におけるノイズを効果的に抑制するために二次的先行画像を使用する正則化再構成化を示すが、小さい病変も平滑化され、コントラストは著しく減少した。図８の右端の画像は、二次的先行画像の強度が特徴画像を使用することによって変調され、ボクセル毎に選択的正則化が誘導され、エッジが保存される正則化画像である。ここでも特徴画像は、上記ＮＥＭＡ  ＩＥＣファントム研究と同じやり方で作成された。このアプローチは、エッジ保存画像と同等の病変保存を提供し、背景のノイズは、特に温かい領域において、著しく低減／抑制された。別の例では、特徴画像は高い値を有する領域においてエッジ保存先行画像といった様々な先行画像の組み合わせを使用することができる。特徴画像において小さい値を有するボクセルには、より強いローパス二次的先行画像を使用することができる。
【００４９】
次に図９を参照するに、特徴画像を追加的に又は代替的に表示して、医師又は他の医療専門家に、差分画像を介して検出される特徴に関して視線誘導を提供することができる。図９では、特徴画像４０は、例えば医療専門家によって医療画像を確認するために使用される放射線学ワークステーション、腫瘍学ワークステーション若しくは他のコンピュータデバイス、フィルム等のＬＣＤ、プラズマ又は他のグラフィカルディスプレイ部品である表示デバイス９２上に臨床画像９０と並んで表示される。臨床画像９０は、任意選択的に、本明細書に開示されるように特徴画像４０を利用して生成されても、特徴画像４０を用いることなく生成されてもよい。後者の一例として、臨床画像９０は、エッジ保存先行画像を使用するＭＡＰ再構成化によって生成される。これは、著しいノイズ保持につながる場合があるが、医療専門家は、表示される特徴画像４０である「特徴ガイド」を参照することによって、ノイズがあっても、病変を検出することが支援される。
【００５０】
更に又は或いは、特徴画像４０は、医療専門家によって特定された病変の評価に使用される。このような評価は、医療専門家によって病変と特定された特徴が、ノイズ又は何らかの他の画像アーチファクトではなくて、本当に病変である可能性の定量的評価を提供する際に、様々な要素又はメトリックを使用する。例示的なスケーリング／重み付けスキームを使用する特徴画像は、特徴については、１に近いピクセル又はボクセル値を有し、それ以外は、ゼロに近い値を有するので、医師によって病変と特定された領域又はボリューム内の特徴画像４０のピクセル又はボクセル値の合計は、病変特定が正しい可能性のメトリックである。したがって、例えば病変の領域又はボリュームに亘る平均ピクセル又はボクセル値：
【数１】
2019524356.tif 000003
は、病変可能性メトリックを提供する。式（４）中、Ｌは、特定された病変を示し、合計は、当該病変内のすべてのピクセル又はボクセルｉ（ｉ∈Ｌ）に亘り、表記｜Ｌ｜は、病変Ｌ内のピクセル又はボクセルの総数を示す。式（４）の可能性メトリックは、任意選択的に、例えば特定された病変Ｌ全体が、当該病変を含むことが考えられる臓器内にあるかどうか（例えば病変は、前立腺がん解析の場合に、前立腺内にあるかどうか）という点、病変Ｌ内の画像テクスチャに基づいた尺度等といった他の要素又はメトリックと組み合わされてもよい。
【００５１】
本開示は、好適な実施形態を参照して説明された。前述の詳細な説明を読み、理解した者は修正態様及び修正態様を想到できるであろう。本発明は、添付の請求項及びその等価物の範囲内にある限り、そのような修正態様及び修正態様をすべて含むものとして解釈されることを意図している。
【図１】
2019524356.tif 000004
【図２】
2019524356.tif 000005
【図３】
2019524356.tif 000006
【図４】
2019524356.tif 000007
【図５】
2019524356.tif 000008
【図６】
2019524356.tif 000009
【図７】
2019524356.tif 000010
【図８】
2019524356.tif 000011
【図９】
2019524356.tif 000012
【国際調査報告】
2019524356.tif 000013
2019524356.tif 000014